(57)【要約】    【課題】本発明の課題は、おまかせ販売において、より利用者の興味を得られるようなおまかせ販売機能を有する自動販売機の制御装置を提供することである。    【解決手段】おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択した際に購入者の購入履歴を確認して、前回販売した商品をおまかせ商品の対象から除いておまかせ商品を選択する制御手段とを備えたことを特徴とする。【選択図】      図２
2005084743.tif 000002
【特許請求の範囲】
【請求項１】
おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択した際に購入者の購入履歴を確認して、前回販売した商品をおまかせ商品の対象から除いておまかせ商品を選択する制御手段とを備えたことを特徴とする自動販売機の制御装置。
【請求項２】
おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択し、適宜商品を選択した際に購入者の購入履歴を確認して、前回と同一商品の場合には、再度、商品を選択する制御手段とを備えたことを特徴とする自動販売機の制御装置。
【請求項３】
おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択した際に購入者の購入履歴を確認して、各商品の販売回数に応じて選択確率を変更できるようにした制御手段とを備えたことを特徴とする自動販売機の制御装置。
【請求項４】
請求項１ないし３のいずれかに記載の自動販売機において、記憶手段は、自動販売機側に設けられるとともに、入力装置を自動販売機に設け、入力装置により認証番号を入力することで、購入者毎の購入履歴を前記記憶手段に記憶することを特徴とする自動販売機の制御装置。
【請求項５】
請求項１ないし３のいずれかに記載の自動販売機において、記憶手段は、購入者の所有する端末に設けることを特徴とする自動販売機の制御装置。
【請求項６】
おまかせ釦を備え、おまかせ釦を押すことにより、収納する複数種類の商品の中から適宜商品を選択して商品のおまかせ販売することができる自動販売機において、おまかせ釦を押されると、複数の商品選択を可能とし、複数の商品選択スイッチが押されると、その押された複数の商品選択スイッチの中からおまかせ商品を選択して搬出することを特徴とする自動販売機の制御装置。
【請求項７】
収納する複数種類の商品の中から適宜商品を選択して商品のおまかせ販売することができる自動販売機において、入金後、所定時間の間に選択された複数の商品の中からおまかせ商品を選択して搬出する制御手段を備えたことを特徴とする自動販売機の制御装置。
【請求項８】
収納する複数種類の商品の中から適宜商品を選択して商品のおまかせ販売することができる自動販売機において、入金前に複数の商品の選択を可能とし、入金時点で既に押されている商品選択スイッチの中からおまかせ商品を選択して搬出する制御手段を備えたことを特徴とする自動販売機の制御装置。
【請求項９】
請求項６ないし８に記載のいずれかに自動販売機おいて、選択された商品の数に応じて販売価格を変更することを特徴とする自動販売機の制御装置。
【請求項１０】
請求項６ないし８に記載のいずれかに自動販売機おいて、おまかせ商品の対象とする商品を選択した際に、この選択した商品の中に予め設定されている商品が含まれている場合に販売価格を変更することを特徴とする自動販売機の制御装置。
【請求項１１】
おまかせ釦を備え、おまかせ釦を押すことにより、収納する複数種類の商品の中から適宜商品を選択して商品のおまかせ販売することができる自動販売機において、おまかせ釦による販売履歴を記憶する記憶手段と、前回販売した商品をおまかせ商品の対象から除いておまかせ商品を選択する制御手段とを備えたことを特徴とする自動販売機の制御装置。
【発明の詳細な説明】
【技術分野】
【０００１】
本発明は、複数の商品の中から利用者が商品を選択することにより、商品を販売することが可能な自動販売機の制御装置に関する。
【背景技術】
【０００２】
従来、自動販売機に収容している商品の中から特定の商品を選択することなく、おまかせのような釦を別途設け、この釦を選択することで、自動販売機に収容している商品の中からランダムに商品を選択して商品を搬出できるようにした自動販売機が知られている（例えば、特許文献１参照）。
【特許文献１】特開平１０−２８９３７２号公報
【発明の開示】
【発明が解決しようとする課題】
【０００３】
しかしながら、上記自動販売機では、利用者は思いがけない商品を得ることができる反面、同一の利用者が次回利用時に前回と同一の商品が搬出される可能性がある。このことは、どの利用者がおまかせ販売を選択したか把握できていないためであり、運営上問題であった。
【０００４】
また、全販売商品の中から２，３種類の商品のどの商品を購入しようか迷い、購入の決断がなかなく付かず、この２，３種類の商品からおまかせ販売するというような要望もあり、対応が望まれていた。
【０００５】
本発明は、上記問題点に鑑みてなされたものであり、おまかせ販売において、より利用者の興味を得られるようなおまかせ販売機能を有する自動販売機の制御装置を提供することを目的とする。
【課題を解決するための手段】
【０００６】
上記目的を達成するために、
本発明の請求項１に係る自動販売機は、おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択した際に購入者の購入履歴を確認して、前回販売した商品をおまかせ商品の対象から除いておまかせ商品を選択する制御手段とを備えたことを特徴とする。
【０００７】
本発明の請求項２に係る自動販売機は、おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択し、適宜商品を選択した際に購入者の購入履歴を確認して、前回と同一商品の場合には、再度、商品を選択する制御手段とを備えたことを特徴とする。
【０００８】
本発明の請求項３に係る自動販売機は、おまかせ釦を備え、おまかせ釦を押すことにより、収納する複数種類の商品の中から適宜商品を選択して商品のおまかせ販売することができる自動販売機において、購入者毎の購入履歴を記憶する記憶手段と、前記おまかせ釦により商品を選択した際に購入者の購入履歴を確認して、各商品の販売回数に応じて選択確率を変更できるようにした制御手段とを備えたことを特徴とする。
【０００９】
本発明の請求項４に係る自動販売機は、請求項１ないし３のいずれかに記載の自動販売機において、記憶手段は、自動販売機側に設けられるとともに、入力装置を自動販売機に設け、入力装置により認証番号を入力することで、購入者毎の購入履歴を前記記憶手段に記憶することを特徴とする。
【００１０】
本発明の請求項５に係る自動販売機は、請求項１ないし３のいずれかに記載の自動販売機において、記憶手段は、購入者の所有する端末に設けることを特徴とする。
【００１１】
本発明の請求項６に係る自動販売機は、おまかせ釦を備え、おまかせ釦を押すことにより、収納する複数種類の商品の中から適宜商品を選択して商品のおまかせ販売することができる自動販売機において、おまかせ釦を押されると、複数の商品選択を可能とし、複数の商品選択スイッチが押されると、その押された複数の商品選択スイッチの中からおまかせ商品を選択して搬出することを特徴とする。
【００１２】
本発明の請求項７に係る自動販売機は、収納する複数種類の商品の中から適宜商品を選択して商品のおまかせ販売することができる自動販売機において、入金後、所定時間の間に選択された複数の商品の中からおまかせ商品を選択して搬出する制御手段を備えたことを特徴とする。
【００１３】
本発明の請求項８に係る自動販売機は、収納する複数種類の商品の中から適宜商品を選択して商品のおまかせ販売することができる自動販売機において、入金前に複数の商品の選択を可能とし、入金時点で既に押されている商品選択スイッチの中からおまかせ商品を選択して搬出する制御手段を備えたことを特徴とする。
【００１４】
本発明の請求項９に係る自動販売機は、請求項６ないし８に記載のいずれかに自動販売機おいて、選択された商品の数に応じて販売価格を変更することを特徴とする。
【００１５】
本発明の請求項１０に係る自動販売機は、請求項６ないし８に記載のいずれかに自動販売機おいて、おまかせ商品の対象とする商品を選択した際に、この選択した商品の中に予め設定されている商品が含まれている場合に販売価格を変更することを特徴とする。
【００１６】
本発明の請求項１１に係る自動販売機は、おまかせ釦を備え、おまかせ釦を押すことにより、収納する複数種類の商品の中から適宜商品を選択して商品のおまかせ販売することができる自動販売機において、おまかせ釦による販売履歴を記憶する記憶手段と、前回販売した商品をおまかせ商品の対象から除いておまかせ商品を選択する制御手段とを備えたことを特徴とする。
【発明の効果】
【００１７】
以上説明したように、
本発明の請求項１ないし３に係る自動販売機によれば、おまかせ釦を傭え、おまかせ釦を押すことにより、収納する複数種類の商品の中から適宜商品を選択して商品のおまかせ販売することができる自動販売機において、以下のように構成することにより、おまかせ釦の使用時にできるだけ同一の商品が続けて選択されないようにして、おまかせ釦の使用による自動販売機の利用頻度を向上させて、売上の向上を図ることができる。
（１）購入者毎の購入履歴を記億する記憶手段と、前記おまかせ釦により商品を選択した際に購入者の購入履歴を確認して、前回販売した商品をおまかせ商品の対象から除いておまかせ商品を選択する制御手段とを傭える。
（２）購入者毎の購入履歴を記憶する記憶手段と、前記おまかせ釦により商品を選択し、適宜商品を選択した際に購入者の購入履歴を確認して、前回と同一商品の場合には、再度、商品を選択する制御手段とを傭える。
(3)購入者毎の購入履歴を記憶する記憶手段と、前記おまかせ釦により商品を
選択した際に購入者の購入履歴を確認して、各商品の販売回数に応じて選択確奉
を変更できる。
【００１８】
次に、本発明の請求項４に係る自動販売機は、請求項１ないし３のいずれかに記載の自動販売機において、記億手段は、自動販売機側に設けられるとともに、入力装置を自動販売機側に設け、入カ装置により認証番号を入カすることで、購入者毎の購入履歴を記憶手段に記憶することにより、端末を有していない利用者にも対応することが可能となる。
【００１９】
次に、本発明の請求項５に係る自動販売機は、請求項１ないし３のいずれかに記載の自動販売機において、記憶手段は、購入者の所有する端末に設けることにより、自動販売機側に記憶手段および入力装置を有する必要がない。
【００２０】
次に、本発明の請求項６に係る自動販売機は、おまかせ釦を傭え、おまかせ釦を押すことにより、収納する複数種類の商品の中から適宜商品を選択して商品のおまかせ販売することができる自動販売機において、おまかせ釦を押されると、複数の商品選択を可能とし、複数の商品選択スイッチが押されると、その押された複数の商品選択スイッチの中からおまかせ商品を選択して搬出する制御手段を備えたことにより、利用者にもおまかせ釦による商品の選択も可能にすることができ、より自動販売機の利用向上につながり、売上の向上に貢献できる。
【００２１】
次に、本発明の請求項７に係る自動販売機は、収納する複数種類の商品の中から適宜商品を選択して商品のおまかせ販売することができる自動販売機において、入金後、所定時間の間に選択された複数の商品の中からおまかせ商品を選択して搬出する制御手段を備えたことにより、おまかせ釦を必要とせずにおまかせ販売が可能となる。
【００２２】
本発明の請求項８に係る自動販売機は、収納する複数種類の商品の中から適宜商品を選択して商品のおまかせ販売することができる自動販売機において、入金前に複数の商品の選択を可能とし、入金時点で既に押されている商品選択スイッチの中からおまかせ商品を選択して搬出する制御手段を傭えたことにより、おまかせ釦を必要とせずにおまかせ販売が可能となる。
【００２３】
本発明の請求項９に係る自動販売機は、請求項６ないし８に記載のいずれかに自動販売機おいて、選択された商品の数に応じて販売価格を変更することにより、自動販売機の利用度をより向上させることができる。
【００２４】
本発明の請求項１０に係る自動販売機は、講求項６ないし８に記載のいずれかに自動販売機おいて、おまかせ商品の対象する商品を選択した際に、この選択した商品の中に予め設定されている商品が含まれている場合に販売価格を変更することにより、販売者側の売りたい商品が含まれている場合には、割引することで、売りたい商品を多く売ることが可能となる。
【００２５】
本発明の請求項１１に係る自動販売機は、おまかせ釦を備え、おまかせ釦を押すことにより、収納する複数種類の商品の中から適宜商品を選択して商品のおまかせ販売することができる自動販売機において、おまかせ釦による販売履歴を記憶する記憶手段と、前回販売した商品をおまかせ商品の対象から除いておまかせ商品を選択する制御手段とを備えたことにより、おまかせ販売時に、購入者毎ではなく、自動販売機全体で、できるだけ続けて同一商品が販売されないようにすることができる。
【発明を実施するための最良の形態】
【００２６】
以下に図１ないし図１５を参照して、本発明の実施形態に係る自動販売機について詳細に説明する。
【００２７】
まず、図１は、本発明の実施形態である制御装置を適用した自動販売機の外観を示した正面図である。この自動販売機は、例えば缶入り飲料やペットボトル入り飲料、あるいはビン入り飲料等の商品を販売するためのもので、この自動販売機は、本体キャビネット１０および外扉２０を備えている。
【００２８】
本体キャビネット１０は、前面が開口した直方状を成すもので、その内部に図示しない商品収容ラックを備え、複数種類の商品を個別に収納する一方、商品払出指令が与えられた場合に対応する商品の払い出しを行なう。
【００２９】
外扉２０は、本体キャビネット１０の前面開口を開閉する態様で、本体キャビネット１０の一側縁部に支承させたものである。この外扉２０には、その表面側に見本商品展示室２１、販売可能ランプ，売切ランプを含む商品選択押釦２２、紙幣挿入口２３、硬貨投入口２４、返却レバー２５、金額表示器２６、硬貨返却口２７、商品取出口２８が設けてある。
【００３０】
見本商品展示室２１は、外扉２０の上半部分に構成した透明の窓であり、内部に配列した商品見本２１１を外部に視認させることが可能である。見本商品展示室２１を通じて視認される商品見本２１１は、それぞれ商品収納ラックに収納した商品をあらわすためのもので、商品収納ラックの数だけ用意してある。本発明の実施形態では、左右方向に１０個の商品見本２１１を上段、中段、下段のそれぞれに配置してある。押釦２２は、見本商品展示室２１を通じて視認される商品見本２１１毎に設けられている。
【００３１】
また、本発明の実施形態において、硬貨投入口２４の近傍に、おまかせ釦３１、必要に応じて登録釦などを含むテンキーなどの入力装置３２、携帯端末受付部３３が設けられている。
【００３２】
なお、押ボタンユニット２２と商品見本２９との間には、商品の冷温表示を行うための冷温表示パネル２２３が設けてある。
【００３３】
図２は、図１に示した自動販売機の制御ブロック図である。同図に示すように、自動販売機の主制御部１は、ＣＰＵ１ａ、制御プログラムを記憶するＲＯＭ１ｂ、各種データおよび必要に応じて購入者毎の販売履歴を記憶するＲＡＭ１ｃからなり、主制御部１には、商品選択押釦２２を制御する押釦制御部１１、表示器２６の表示内容を制御する表示制御部１２、商品を搬出する搬出制御部１３、貨幣処理を行なう貨幣制御部１４、貨幣以外の電子マネー、カード、携帯電話などの携帯端末３３１による購入処理を行なう携帯端末制御部１５、おまかせ釦３１および入力装置３２からの入力処理を行なう拡張制御部１６を備えている。
【００３４】
なお、上記構成において、購入者毎の販売（購入）履歴を記憶させる方式として、携帯端末による商品購入の場合、携帯端末に販売（購入）履歴あるいは自動販売機のＲＡＭ１ｃに携帯端末のＩＤ毎に記憶させてもよいし、貨幣による購入の場合、購入者毎の販売（購入）履歴を自動販売機側に記憶させるため、入力装置３２から予め登録したＩＤおよび暗証番号を入力することにより販売（購入）履歴を記憶させるようにする。
【００３５】
また、携帯端末の操作としては、非接触式あるいは接触式（挿入方式含）のいずれの方式でもよい。
【００３６】
上記の構成において、図３ないし図１４のフローチャートに基づいて、各購入形態に応じた販売動作を説明する。
【００３７】
第１の実施形態として、自動販売機側に購入履歴を記憶する実施形態について説明する。
【００３８】
まず、現金にて購入する場合には、予め設けられた入力装置３２を用いてＩＤとパスワードを自動販売機に登録しておき、ＩＤ毎に該自動販売機での購入履歴をＲＡＭに記憶し、また、携帯端末３３１にて購入する場合には、携帯端末３３１の有するＩＤ毎に該自動販売機での購入履歴をＲＡＭに記憶しておく。
【００３９】
そこで、第１の実施形態は、図３のフローチャートに示すように、販売待機中においては、ステップＳ１にて貨幣投入か否かを判断し、ステップＳ２にて携帯端末による購入か否かを判断する。
【００４０】
貨幣による購入の場合には、ステップＳ３にて予め登録してあるＩＤとパスワードとを入力装置により入力する（Ｓ３）。ここで、ＩＤとパスワードとが入力されずに、商品選択押釦２２が押されると、従前とおりの商品販売となる。また、ステップＳ１にて、貨幣が投入されず、携帯端末３３１による購入の場合、該携帯端末３３１が当該自動販売機で使用できるか否かの認証を行ない、ＩＤを携帯端末により入力あるいは自動的に自動販売機側に読み込まれるようにする（Ｓ２、Ｓ４）。
【００４１】
次に、ステップＳ５では、おまかせ釦３１が押された否かを判断し、おまかせ釦３１が操作されずに（Ｓ５、Ｎｏ）商品選択押釦２２が押されると（Ｓ６、Ｙｅｓ）、選択された商品が販売され（Ｓ７）、購入履歴がＲＡＭ１ｃのＩＤ毎の記憶エリアに記憶される（Ｓ８）。
【００４２】
一方、ステップＳ５にて、おまかせ釦３１が押されると（Ｓ５、Ｙｅｓ）、主制御部１にて販売可能な商品の中からランダムに販売する商品を決定し（Ｓ９）、ステップＳ１０に進む。ステップＳ１０では、決定した商品と購入者の購入履歴とを比較し、前回販売した商品と同じ商品である場合には（Ｓ１０、Ｎｏ）、再度、ランダムに販売する商品を決定して、前回販売した商品と異なる商品である場合には、商品を搬出し（Ｓ１１）、販売日時、商品などの購入履歴をＲＡＭ１ｃのＩＤ毎の記憶エリアに記憶して（Ｓ１２）、処理を終了する。
【００４３】
次に、第２の実施形態は、図４のフローチャートに示すように、おまかせ釦３１を押すまでのステップＳ１ないしＳ８は、図３のフローチャートと同一であり、説明は省略する。
【００４４】
そこで、ステップＳ５にて、おまかせ釦３１が押されると（Ｓ５、Ｙｅｓ）、購入履歴を確認し、前回販売した商品を予めランダムに選び出す商品の対象の中から除いて（Ｓ４１）、主制御部１にて販売可能な商品の中からランダムに販売する商品を決定して（Ｓ４２）、商品を搬出し（Ｓ４３）、販売日時、商品などの購入履歴をＲＡＭ１ｃのＩＤ毎の記憶エリアに記憶して（Ｓ４４）、処理を終了する。
【００４５】
次に、第３の実施形態は、図５のフローチャートに示すように、おまかせ釦３１を押すまでのステップＳ１ないしＳ８は、図３のフローチャートと同一であり、説明は省略する。
【００４６】
そこで、ステップＳ５にて、おまかせ釦３１が押されると（Ｓ５、Ｙｅｓ）、ステップＳ５１では、過去の購入履歴を分析して、商品の購入回数に応じてランダム決定する選択確率の重み付けを行ない、その確率に応じたランダムによる商品決定を行なうものであり、図１５の選択確率を示す図から明らかなように、例えば、Ａ〜Ｅの５本の商品を例とした場合に、販売（購入）回数が、商品Ａは「１０」、商品Ｂは「３」、商品Ｃは「１」、商品Ｄ，Ｅは「０」の場合、販売回数の少ない商品Ｄ，Ｅの選択確率が高くなるように設定するものであり、このことは、自動販売機内の商品の入れ替えなどにより、入れ替え無い商品と新たに投入された商品とによる偏りを無くすためである。
【００４７】
このように、選択確率により商品が決定すると（Ｓ５２）、商品を搬出し（Ｓ５３）、販売日時、商品などの購入履歴をＲＡＭ１ｃのＩＤ毎の記憶エリアに記憶して（Ｓ５４）、処理を終了する。
【００４８】
このように、第１ないし第３の実施形態は、自動販売機側に購入者のＩＤ毎の購入履歴を記憶させるものであり、携帯端末を有さない利用者にも対応できるように、入力装置３２を必要に応じて設けるようにしている。
【００４９】
また、購入履歴に関しては、全ての販売を購入履歴に記憶するようにしているが、おまかせ釦３１が押された時のみの販売を対象としてもよい。
【００５０】
次に、第４ないし第６の実施形態は、第１ないし第３の実施形態において、購入履歴を携帯端末３３１側に記憶させるものである。
【００５１】
そこで、第４の実施形態は、図６のフローチャートに示すように、販売待機中においては、ステップＳ６１にて携帯端末３３１による購入か否かを判断し、携帯端末３３１による購入であれば（Ｓ６１、Ｙｅｓ）、該携帯端末３３１が当該自動販売機で使用できるか否かの認証を行ない、携帯端末３３１から購入履歴を読み出す（Ｓ６２）。
【００５２】
次に、ステップＳ６３では、おまかせ釦３１が押された否かを判断し、おまかせ釦３１が操作されずに（Ｓ６３、Ｎｏ）商品選択押釦２２が押されると（Ｓ６４、Ｙｅｓ）、選択された商品が販売され（Ｓ６５）、決済とともに購入履歴が携帯端末３３側に送信される（Ｓ６６）。
【００５３】
一方、ステップＳ６３にて、おまかせ釦３１が押されると（Ｓ６３、Ｙｅｓ）、主制御部１にて販売可能な商品の中からランダムに販売する商品を決定し（Ｓ６７）、ステップＳ６８に進む。ステップＳ６８では、決定した商品と購入者の購入履歴とを比較し、前回販売した商品と同じ商品である場合には（Ｓ６８、Ｎｏ）、再度、ランダムに販売する商品を決定して、前回販売した商品と異なる商品である場合には、商品を搬出し（Ｓ６９）、決済とともに、販売日時、商品などの購入履歴が携帯端末３３１側に送信され（Ｓ７０）、処理を終了する。
【００５４】
次に、第５の実施形態は、図７のフローチャートに示すように、おまかせ釦３１を押すまでのステップＳ６１ないしＳ６６は、図６のフローチャートと同一であり、説明は省略する。
【００５５】
そこで、ステップＳ６３にて、おまかせ釦３１が押されると（Ｓ６３、Ｙｅｓ）、購入履歴を確認し、前回販売した商品を予めランダムに選び出す商品の対象の中から除いて（Ｓ７１）、主制御部１にて販売可能な商品の中からランダムに販売する商品を決定して（Ｓ７２）、商品を搬出し（Ｓ７３）、決済とともに、販売日時、商品などの購入履歴が携帯端末３３側に送信され（Ｓ７４）、処理を終了する。
【００５６】
次に、第６の実施形態は、図８のフローチャートに示すように、おまかせ釦３１を押すまでのステップＳ６１ないしＳ６６は、図３のフローチャートと同一であり、説明は省略する。
【００５７】
そこで、ステップＳ６３にて、おまかせ釦３１が押されると（Ｓ６３、Ｙｅｓ）、ステップＳ８１では、過去の購入履歴を分析して、商品の購入回数に応じてランダム決定する選択確率の重み付けを行ない、その確率に応じたランダムによる商品決定を行なうものであり、前記第３の実施形態にて示した図１５のように、販売回数の少ない商品の選択確率が高くなるように設定するものである。
【００５８】
このように、選択確率により商品が決定すると（Ｓ８２）、商品を搬出し（Ｓ８３）、決済とともに、販売日時、商品などの購入履歴が携帯端末３３１側に送信され（Ｓ８４）、処理を終了する。
【００５９】
このように、第４ないし第６の実施形態は、携帯端末３３１にて代金の決済および携帯端末３３１に購入履歴を記憶させるようにしたため、携帯端末３３１が使用できる環境が自動販売機側にあればよい。また、代金の決済は、現金にて行ない、購入履歴の記憶のみ携帯端末３３１に行なわせることも可能である。
【００６０】
また、購入履歴に関しては、第１ないし第３の実施形態と同様に、全ての販売を購入履歴に記憶するようにしているが、おまかせ釦３１が押された時のみの販売を対象としてもよい。
【００６１】
次に、第７の実施形態を図９のフローチャートを用いて説明すると、貨幣あるいは携帯端末による関係なく、購入者が入金あるいは携帯端末により商品購入の意志を示した後（Ｓ９１)、おまかせ釦３１が押されると（Ｓ９２）、販売可能な商品の販売可能ランプを点灯させる（Ｓ９３）。この時点において、商品選択押釦２２が押されると（Ｓ９４）、押された商品選択押釦２２の販売可能ランプが点滅し（Ｓ９５）、この商品を選択する動作、すなわち、商品選択押釦22が複数個押されると（Ｓ９６）、この複数個の中からのおまかせ販売でよければ、再度、おまかせ釦３１を押すことにより（Ｓ９７、Ｙｅｓ）、この後、選択された複数の商品の中からランダムに商品を決定し（Ｓ９８、決定した商品が搬出される（Ｓ９９）)。
【００６２】
次に、第８の実施形態を図１０のフローチャートを用いて説明すると、入金前に、商品選択押釦２２が押されると（Ｓ１０１）、押された商品選択押釦２２の販売可能ランプが点減し（Ｓ１０２）、この商品を選択する動作、すなわち、商品選択押釦２２が入金前に複数個押されると（Ｓ１０３）、この状態を自動販売機側で記憶し、この複数個の中からのおまかせ販売でよければ、この時点で入金動作あ
るいは携帯端末により商品購入の意志を示した後（Ｓ１０４）、選択された複数の商品の中からランダムに商品を決定し（Ｓ１０５）、決定した商品が搬出される（Ｓ１０６）。
【００６３】
次に、第９の実施形態は、図１１のフローチャートを用いて説明すると、貨幣あるいは携帯端末による関係なく、入金あるいは携帯端末により商品購入の意志を示した後（Ｓ１１１）、最初の商品選択押釦２２が押されると（Ｓ１１２）、押された商品選択押釦２２の販売可能ランプが点減し（Ｓ１１３）その時点から所定時間の間、商品選択押釦２２の押下を許可し、所定時間内に押された商品選択押釦２２の販売可能ランプを点灯または点滅表示して、所定時間が経過すると（Ｓ１１４、Ｙｅｓ）、複数個の商品選択押釦２２が押されたか否かを判断し、仮に所定時間内に１個の商品選択押釦２２しか押されていなければ（Ｓ１１５、Ｎｏ）、その選択された商品を搬出する（Ｓ１１８）。
【００６４】
一方、ステップＳ１１５で、所定時間内に複数個の商品選択押釦２２が押されていたと判断すると（Ｓ１１５、Ｙｅｓ）、選択された複数の商品の中からランダムに商品を決定し（Ｓ１１６）、決定した商品が搬出される（Ｓ１１７）。
【００６５】
このように、この第８，９の実施形態においては、おまかせ釦３１が省略可能となる。
【００６６】
また、第７ないし第９の実施形態においては、完全におまかせではなく、全商品の中から複数の商品を選択することにより、おまかせ販売を可能とすることで、利用者のある程度の好みも反映させながら、おまかせ販売が可能となる。
【００６７】
さらに、この第７ないし第９の実施形態においても、ＩＤを入力することで、購入履歴に記憶させることも可能であり、この購入履歴を利用して第１，２，４，５の実施形態のように複数商品を選択した中から前回購入商品を除くことようにすることもでき、また、第３，６の実施形態のように販売（購入）回数に応じて選択確率を変更してもよい。
【００６８】
次に、第１０の実施形態は、第７の実施形態の変形例であり、図１２のフローチャートを用いて説明すると、ステップＳ９１ないしＳ９６は、図９のフローチャートと同じ処理であり、貨幣あるいは携帯端末による関係なく、購入者が入金あるいは携帯端末により商品購入の意志を示した後（Ｓ９１）、おまかせ釦３１が押されると（Ｓ９２）、販売可能な商品の販売可能ランプを点灯させる（Ｓ９３）。この時点において、商品選択押釦２２が押されると（Ｓ９４）、押された商品選択押釦２２の販売可能ランプが点滅し（Ｓ９５）、この商品を選択する動作、すなわち、商品選択押釦２２が複数個押されると（Ｓ９６）、この複数個選択した商品の数あるいは商品に応じた割引価格を表示器２６に表示し（Ｓ１２１）、この複数個の中からのおまかせ販売でよければ、再度、おまかせ釦３１を押す（Ｓ１２２、Ｙｅs)。この後、選択された複数の商品の中からランダムに商品を決定し（Ｓ１２３）、決定した商品が搬出され（Ｓ１２４）、割引価格分がキャッシュバックされる（Ｓ１２５）。
【００６９】
次に、第１１の実施形態は、第８の実施形態の変形例であり、図１３のフローチャートを用いて説明すると、ステップＳ１０１ないしＳ１０３は、図９のフローチャートと同じ処理であり、入金前に、商品選択押釦２２が押されると（Ｓ１０１）、押された商品選択押釦２２の販売可能ランプが点減し（Ｓ１０２）、この商品を選択する動作、すなわち、商品選択押釦２２が入金前に複数個押されると（１０３）、この状態を自動販売機側で記憶して、この選択した商品の数あるいは商品に応じた割引価格を表示器２６に表示し（Ｓ１３１）、この複数個の中からのおまかせ販売でよければ、この時点で入金動作あるいは携帯端末により商品購入の意志を示し（Ｓ１３２）、選択された複数の商品の中からランダムに商品を決定して（Ｓ１３３）、決定した商品が搬出される（Ｓ１３４）。
【００７０】
次に、第１２の実施形態は、第１０の実施形態の変形例であり、図１４のフローチャートを用いて説明すると、貨幣あるいは携帯端末による関係なく、購入者が入金あるいは携帯端末により商品購入の意志を示した後（Ｓ９１）、おまかせ３１が押されると（Ｓ９２）、販売者側でおまかせ販売の対象としたい商品の販売可能ランプを点灯あるいは点滅させ（Ｓ１４１）、この時点においての割引価格を表示器２６に表示する（Ｓ１４２）。ここで、購入者が前記以外の商品でおまかせ対象としたい商品が無ければ（Ｓ１４３、Ｎｏ）、再度、おまかせ釦３１を押されたかを判断して（Ｓ１４６）、おまかせ釦３１が押されると（Ｓ１４６、Ｙｅｓ）、
おまかせ販売の対象としたい商品の中からランダムに商品を決定し（Ｓ１４７）、
決定した商品が搬出され（Ｓ１４８）、割引価格分がキャッシュバックされる（Ｓ
１４９）。
【００７１】
一方、ステップＳ１４３で、購入者が前記以外の商品でおまかせ対象としたい商品があり、その商品の商品選択押釦２２を押すと（Ｓ１４３、Ｙｅｓ）、押された商品選択押釦２２の販売可能ランプが点減し（Ｓ１４４）、この時に押された１以上の選択した商品の数あるいは商品に応じた割引価格を再度、表示器２６に表示し（Ｓ１４５）、販売者側と購入者側との選択を含めた商品数によるおまかせ販売でよければ、再度、おまかせ釦３１を押す（Ｓ１４６、Ｙｅｓ）。この後、選択された複数の商品の中からランダムに商品を決定し（Ｓ１４７)、決定した商品が搬出され（Ｓ１４８）、割引価格分がキャッシュバックされる（Ｓ１４９）。
【００７２】
このように第１０ないし第１２の実施形態において、販売者側が売りたい商品がおまかせ対象に選択された場合あるいは予めおまかせ対象を販売者側設定することにより、その商品をおまかせ販売の商品として決定することを前提に商品価格を割り引くことにより、その割引対象となる商品の売上を伸ばすことができる。
【００７３】
また、この場合、何回かに１回は、販売者側に関係なく、選択された商品の中からおまかせ販売の商品を決定してもよい。
【００７４】
さらに、第１０ないし第１２の実施形態についても、購入履歴を組み合わせて、この購入履歴を利用して第１，２，４，５の実施形態のように複数商品を選択した中から前回購入商品を除くことようにすることもでき、また、第３，６の実施形態のように販売（購入）回数に応じて選択確率を変更してもよい。
【００７５】
なお、本発明の実施形態は、購入者毎の購入履歴であるが、自動販売機毎の販売履歴に置き換えても実施可能であり、この場合には、ＩＤの入力装置は必要とせず、自動販売機全体の売上げを考慮して販売することが可能となる。
【００７６】
また、おまかせ釦３１を別途設けてあるが、自動販売機前面に設けてある既存の操作スイッチおよび返却レバーなどを適宜組み合わせるなどして代用してもよい。
【図面の簡単な説明】
【００７７】
【図１】本発明の実施の形態である制御装置を適用した自動販売機の外観を示した正面である。
【図２】図１に示した自動販売機の制御ブロック図である。
【図３】第１の実施形態を示すフローチャートである。
【図４】第２の実施形態を示すフローチャートである。
【図５】第３の実施形態を示すフローチャートである。
【図６】第４の実施形態を示すフローチャートである。
【図７】第５の実施形態を示すフローチャートである。
【図８】第６の実施形態を示すフローチャートである。
【図９】第７の実施形態を示すフローチャートである。
【図１０】第８の実施形態を示すフローチャートである。
【図１１】第９の実施形態を示すフローチャートである。
【図１２】第１０の実施形態を示すフローチャートである。
【図１３】第１１の実施形態を示すフローチャートである。
【図１４】第１２の実施形態を示すフローチャートである。
【図１５】本発明の実施形態に係る選択確率を示す図である。
【符号の説明】
【００７８】
１０      本体キャビネット
２２      商品選択押釦
３１      おまかせ釦
３２      入力装置
３３      携帯端末受付部
３３１    携帯端末
１        主制御部
１ａ      ＣＰＵ
１ｂ      ＲＯＭ
１ｃ      ＲＡＭ
１３    押釦制御部
１５    端末制御部
１６    拡張制御部
【図１】
2005084743.tif 000003
【図２】
2005084743.tif 000004
【図３】
2005084743.tif 000005
【図４】
2005084743.tif 000006
【図５】
2005084743.tif 000007
【図６】
2005084743.tif 000008
【図７】
2005084743.tif 000009
【図８】
2005084743.tif 000010
【図９】
2005084743.tif 000011
【図１０】
2005084743.tif 000012
【図１１】
2005084743.tif 000013
【図１２】
2005084743.tif 000014
【図１３】
2005084743.tif 000015
【図１４】
2005084743.tif 000016
【図１５】
2005084743.tif 000017